(57)【要約】【課題】インクジェット方式でカラーフィルターを製造する際に用いる顔料系インクにおいて、分散性に優れた顔料を提供し、この顔料系インクを硬化させて作製するカラーフィルター中の色材（顔料）の分散状態を良好なものとして、良好な光透過性を有する、品位、信頼性に優れたカラーフィルターを提供し、さらには、カラーフィルターを用いたカラー表示性に優れた情報表示用パネルを提供する。【解決手段】少なくとも色材とバインダー樹脂とをカラーフィルターに含有させ、色材が粒子状顔料であって、粒子状顔料を樹脂コートしてカラーフィルターに含有させる。【選択図】図４
2007322602.tif 000002
【特許請求の範囲】
【請求項１】
少なくとも色材とバインダー樹脂とを含有するカラーフィルター材を硬化させたカラーフィルターにおいて、色材が粒子状顔料であって、粒子状顔料が樹脂コートされたものであることを特徴とするカラーフィルター。
【請求項２】
前記粒子状顔料のコーティング樹脂材平滑面と水との接触角θ１と、前記カラーフィルター材が含有するバインダー樹脂材平滑面と水との接触角θ２との関係が、｜θ１−θ２｜≦２０度、となるような樹脂を、粒子状顔料のコーティング樹脂およびバインダー樹脂（成分）にそれぞれ用いたことを特徴とする請求項１に記載のカラーフィルター。
【請求項３】
前記粒子状顔料のコーティング樹脂が、前記カラーフィルター材が含有するバインダー樹脂（成分）の少なくとも一つと同じ樹脂（成分）であることを特徴とする請求項１または２に記載のカラーフィルター。
【請求項４】
前記コーティング樹脂でコーティングした粒子状顔料の大きさが２０ｎｍ〜１μｍの範囲にあることを特徴とする請求項項１〜３のいずれか１項に記載のカラーフィルター。
【請求項５】
インクジェットを用いて作製したことを特徴とする請求項１〜３のいずれか１項に記載のカラーフィルター。
【請求項６】
請求項１〜４のいずれか１項に記載のカラーフィルターを構成部材としたことを特徴とする情報表示用パネル。
【請求項７】
請求項５に記載の情報表示用パネルが、少なくとも一方が透明な対向基板間の、隔壁によって仕切られた空間に表示媒体を封入し、表示媒体を電界により移動させて画像等の情報を表示する情報表示用パネルであって、三原色（Ｒ：赤色、Ｇ：緑色、Ｂ：青紫色）のカラーフィルターを構成部材としてカラー表示を行うようにしたものであることを特徴とする情報表示用パネル。
【発明の詳細な説明】
【技術分野】
【０００１】
本発明は、インク、インクジェット方式を用いて基板上にインクを配列させる表示装置用カラーフィルターに色材（着色剤）として用いるカラーフィルター用顔料およびこの顔料を用いたカラーフィルター、及びこのカラーフィルターを用いた情報表示用パネルに関するものである。
【背景技術】
【０００２】
従来から、カラーフィルターの製造方法として、フォトリソ法を応用した方法や、インクジェット法を応用した方法があり、液晶表示パネル用カラーフィルターの製造にも適用されている。
カラーフィルターの製造方法として、例えば、特許文献１のようなインクジェット法を応用した方法が提案されている。この方法では、透明基板上に、インクに対して濡れ性の低い材料でカラーフィルターの形成領域を区画するように仕切りをマトリックス状に形成した後、インクジェット法を用いてカラーフィルター材料（インク）を仕切り内に塗布することにより、カラーフィルターを形成する。
以来、インクジェット方式によるカラーフィルター材料（インク）の塗布プロセスによるカラーフィルターの製造方法が多数提案されている（例えば特許文献２参照）。
【０００３】
インクジェット法を応用してカラーフィルターを製造する従来技術として、２官能乃至３官能の多官能モノマーを用いることによって、カラーフィルター基板上にインキをインクジェット方式により吹き付ける際に、ヘッド先端でのインクの粘度増加を起こしにくくなり、良好な吐出性を維持し、ヘッドの目詰まりを起こしにくくする光硬化性インキ組成物が提供されている。またこの光硬化性インキ組成物を用いて画素部（着色層）のような所定パターンの硬化層を正確且つ均一に形成することのできるカラーフィルターの製造方法が提供されている（例えば特許文献３参照）。
【０００４】
またインクジェット法を応用してカラーフィルターを製造する別の従来技術として、透明基板上にブラックマトリクスを形成し、その開口部に光照射や熱処理により硬化する樹脂成分と着色剤を含む硬化型インクをインクジェット方式により付与し、硬化させて着色部５を形成するに当たり、予め開口部に多孔質シリカ粒子を付着させておくことにより、硬化型インクの界面張力を高め、混色を防止する方法が提供されている（例えば特許文献４参照）。
【特許文献１】特開昭５９−７５２０５号公報
【特許文献２】特開２００３−２６９６６号公報
【特許文献３】特開２００４−２１３０３３号公報
【特許文献４】特開２００２−３０３７１６号公報
【発明の開示】
【発明が解決しようとする課題】
【０００５】
カラーフィルターに用いられる顔料をインクの色材として用いるには、媒体中に顔料を安定して分散させることが要求され、均一分散系を得るために分散剤を添加することが一般的に行われているが、この分散剤を使用する方法によっても十分に満足し得る分散性が得られず、このため顔料を分散させたインクで作製したカラーフィルターでは色材（顔料）の分散状態が好ましくなく、良好な光透過性を有するカラーフィルターが得られないという問題があった。カラーフィルター材（インク）としては、熱硬化型カラーフィルター材（インク）、光硬化型カラーフィルター材（インク）があるが、いずれにおいても上記した問題があった。
【０００６】
本発明の目的は上述した問題点を解消し、インクジェット方式でカラーフィルターを製造する際に用いる顔料系インクにおいて、分散性に優れた顔料を提供し、この顔料系インクを硬化させて作製するカラーフィルター中の色材（顔料）の分散状態を良好なものとして、良好な光透過性を有する、品位、信頼性に優れたカラーフィルターを提供し、さらには、カラーフィルターを用いたカラー表示性に優れた情報表示用パネルを提供することにある。
【課題を解決するための手段】
【０００７】
本発明のカラーフィルターは、少なくとも色材とバインダー樹脂とを含有し、色材が粒子状顔料であって、粒子状顔料が樹脂コートされたものであることを特徴とするものである。
【０００８】
また、本発明のカラーフィルターは、粒子状顔料のコーティング樹脂材平滑面と水との接触角θ１と、カラーフィルター材が含有するバインダー樹脂材平滑面と水との接触角θ２との関係が、｜θ１−θ２｜≦２０度、となるような樹脂を用い、粒子状顔料のコーティング樹脂が、バインダー樹脂（成分）の少なくとも一つと同じ樹脂（成分）であり、樹脂コートした顔料の大きさが２０ｎｍ〜１μｍ、好ましくは３０〜２００ｎｍの範囲にあり、インクジェットを用いて作製したことを特徴とするものである。
【０００９】
本発明のカラーフィルターを構成部材とした情報表示用パネルが、少なくとも一方が透明な対向基板間の、隔壁によって仕切られた空間に表示媒体を封入し、表示媒体を電界により移動させて画像等の情報を表示する情報表示用パネルであって、三原色（Ｒ：赤色、Ｇ：緑色、Ｂ：青紫色）のカラーフィルターを構成部材としてカラー表示を行うようにしたものであることを特徴とするものである。
【発明の効果】
【００１０】
本発明によれば、少なくとも色材とバインダー樹脂とを含有するカラーフィルター材を硬化させたインクジェット方式で製造したカラーフィルターにおいて、色材が粒子状顔料であって、粒子状顔料を樹脂コートすることによって、分散性に優れた顔料を提供し、この顔料系インクを硬化させて作製するカラーフィルター中の色材（顔料）の分散状態を良好なものとして、良好な光透過性を有する、品位、信頼性に優れたカラーフィルターを提供し、さらには、カラーフィルターを用いたカラー表示性に優れた情報表示用パネルを提供することができる。
【発明を実施するための最良の形態】
【００１１】
まず、本発明の対象となる表示用パネルの基本的な構成について説明する。本発明の対象となる表示用パネルでは、対向する２枚の基板間に封入した光学的反射率と帯電性を有する表示媒体に電界が付与される。付与された電界方向にそって、帯電した表示媒体が電界による力やクーロン力などによって引き寄せられ、表示媒体が電界方向の変化によって移動方向を変えることにより、画像等の情報表示がなされる。従って、表示媒体が、均一に移動し、かつ、繰り返し表示を書き換える時あるいは表示情報を継続して表示する時の安定性を維持できるように、表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１２】
本発明の対象となる表示用パネルの例を、図１（ａ）、（ｂ）〜図３（ａ）、（ｂ）に基づき説明する。
【００１３】
図１（ａ）、（ｂ）に示す例では、少なくとも１種以上の粒子から構成される光学的反射率および帯電特性の異なる少なくとも２種以上の表示媒体３（ここでは表示用白色粒子３Ｗａの粒子群からなる白色表示媒体３Ｗと表示用黒色粒子３Ｂａの粒子群からなる黒色表示媒体３Ｂを示す）を、基板１、２の外部から加えられる電界に応じて、基板１、２と垂直に移動させ、黒色表示媒体３Ｂを観察者に視認させて黒色の表示を行うか、あるいは、白色表示媒体３Ｗを観察者に視認させて白色の表示を行っている。なお、図１（ｂ）に示す例では、図１（ａ）に示す例に加えて、基板１、２との間に例えば格子状に隔壁４を設けセルを形成している。また、図１（ｂ）において、手前にある隔壁は省略している。
【００１４】
図２（ａ）、（ｂ）に示す例では、少なくとも１種以上の粒子から構成される光学的反射率および帯電特性の異なる少なくとも２種以上の表示媒体３（ここでは表示用白色粒子３Ｗａの粒子群からなる白色表示媒体３Ｗと表示用黒色粒子３Ｂａの粒子群からなる黒色表示媒体３Ｂを示す）を、基板１に設けた電極５と基板２に設けた電極６との間に電圧を印加することにより発生する電界に応じて、基板１、２と垂直に移動させ、黒色表示媒体３Ｂを観察者に視認させて黒色の表示を行うか、あるいは、白色表示媒体３Ｗを観察者に視認させて白色の表示を行っている。なお、図２（ｂ）に示す例では、基板１、２との間に例えば格子状に隔壁４を設けセルを形成している。また、図２（ｂ）において、手前にある隔壁は省略している。電極は基板の外側に設けてもよいし基板内部に埋め込むように設けてもよい。
【００１５】
図３（ａ）、（ｂ）に示す例では、少なくとも１種以上の粒子から構成される少なくとも光学的反射率と帯電性を有する表示媒体３（ここでは表示用白色粒子３Ｗａの粒子群からなる白色表示媒体３Ｗを示す）を、基板１に設けた電極５と電極６との間に電圧を印加することにより発生する電界に応じて、基板１、２と平行方向に移動させ、白色表示媒体３Ｗを観察者に視認させて白色の表示を行うか、あるいは、電極６または基板１の色を観察者に視認させて電極６または基板１の色の表示を行っている。なお、図３（ｂ）に示す例では、基板１、２との間に例えば格子状の隔壁４を設けセルを形成している。また、図３（ｂ）において、手前にある隔壁は省略している。電極は基板の外側に設けてもよいし基板内部に埋め込むように設けてもよい。
【００１６】
次に本発明のカラーフィルターに含有させる樹脂コートされた顔料微粒子及びその製造方法例について説明する
【００１７】
図４は、カラーフィルター材に分散させる樹脂コートされた顔料微粒子の断面図である。顔料微粒子２３を樹脂コート２２で覆っている。
【００１８】
図５は、樹脂コートされた顔料微粒子を分散させたカラーフィルターである。カラーフィルター１１内のバインダー２４に、樹脂コートされた顔料微粒子２３Ｐを分散させる。顔料微粒子２３を覆う樹脂コート２２の材質は、バインダー２４と同一の樹脂を少なくとも含む樹脂であり、同一の樹脂を含んでいればよく、その樹脂のみであっても、他の樹脂との混合であってもよい。
【００１９】
図６は、スパイラル気流を用いて顔料微粒子を樹脂コーティングする装置を示す。樹脂溶液層３１内にあるコーティング用樹脂が搬送配管３２を通り、樹脂溶液噴霧ノズル３３により、容器内に噴霧される。ローター３４により、容器内にはスパイラル気流が発生している（図６の点線に示す）。噴霧されたコーティング用樹脂は、スパイラル気流によって容器内にある顔料微粒子２３をコーティングする。
【００２０】
図７（ａ）,（ｂ）は、それぞれ本発明のカラーフィルター材を透明基板に配置した構成図であり、図７（ａ）は断面図、図７（ｂ）は上平面図を示す。電極６を設けた基板２は透明基板を用い、カラーフィルター材の配置領域外への拡がりを防止するためのバンクとしての機能を有するブラックマトリックス１４を設ける。開口部に硬化型のインク（カラーフィルター材１１Ｒ、１１Ｇ、１１Ｂ）をインクジェット方式で配置する。
【００２１】
以下、図８〜１５を参照して、本発明のカラーフィルターを用いた情報表示用パネルの第１〜８実施形態を示す。また、以下に示す例において以前の例と同一の部材には同一の符号を付し、その説明を省略する。
【００２２】
図８は、帯電粒子気中駆動型表示用パネルのライン電極付基板に本発明のカラーフィルターを設けた第１実施形態である。基板２に透明ライン電極６ＴＬを、基板１にライン電極５Ｌを設ける。
【００２３】
図９は、帯電粒子気中駆動型表示用パネルのライン電極付基板に本発明のカラーフィルターを設けた第２実施形態である。カラーフィルターの透明ライン電極６ＴＬと反対側の面に保護層１５を設ける。
【００２４】
図１０は、帯電粒子気中駆動型表示用パネルの個別電極付基板に本発明のカラーフィルターを設けた第３実施形態である。基板２に透明電極６Ｔを、基板１に電極５を設ける。
【００２５】
図１１は、帯電粒子気中駆動型表示用パネルの個別電極付基板に本発明のカラーフィルターを設けた第４実施形態である。カラーフィルターの透明電極６Ｔと反対側の面に保護層１５を設ける。
【００２６】
図１２は、帯電粒子絶縁液中駆動型の表示用パネルの個別電極付基板に本発明のカラーフィルターを設けた第５実施形態である。基板間の媒体として、絶縁性液体２０を用いる。
【００２７】
図１３は、マイクロカプセル内絶縁液中帯電粒子駆動型表示用パネルの個別電極付基板に本発明のカラーフィルターを設けた第６実施形態である。マイクロカプセル３０内に絶縁性液体２０と表示用白色粒子３Ｗａと表示用黒色粒子３Ｂａとを含む。
【００２８】
図１４は、黒色板と白色帯電粒子の組み合わせによる気中駆動型表示用パネルに本発明のカラーフィルターを設けた第７実施形態を示す。基板１に黒色板２１Ｂと透明電極５Ｔとを重ねて設ける。表示用白色粒子３Ｗａが透明電極側に並んだときにはカラー表示になり、電極５側に並んだときには黒表示になる。
【００２９】
図１５は、白色板と黒色帯電粒子の組み合わせによる気中駆動型表示用パネルに本発明のカラーフィルターを設けた第８実施形態を示す。基板１に白色板２１Ｗと透明電極５Ｔとを重ねて設ける。表示用黒色粒子３Ｂａが透明電極側に並んだときには黒表示になり、電極５側に並んだときにはカラー表示になる。
【００３０】
次に、カラーフィルターを構成する樹脂、バインダー樹脂、色材、インク媒体について説明する。
【００３１】
粒子状顔料のコートに用いる樹脂の例について説明する。カラーフィルター材に含有させる粒子状顔料のコートに用いる樹脂としては、カラーフィルター材に含有させるバインダー樹脂との関係において、粒子状顔料のコーティング樹脂材平滑面と水との接触角θ１と、バインダー樹脂材平滑面と水との接触角θ２との関係が、｜θ１−θ２｜≦２０度、となるような樹脂を選択する。
【００３２】
例えば、アクリル酸／ベンジルアクリレート共重合体、アクリル酸／メチルアクリレート／スチレン共重合体、アクリル酸／ベンジルアクリレート／スチレン共重合体、アクリル酸／メチルアクリレート／ポリスチレンマクロモノマー共重合体、アクリル酸／メチルアクリレート／ポリメチルメタクリレートマクロモノマー共重合体、アクリル酸／ベンジルアクリレート／ポリスチレンマクロモノマー共重合体、アクリル酸／ベンジルアクリレート／ポリメチルメタクリレートマクロモノマー共重合体、アクリル酸／２−ヒドロキシエチルアクリレート／ベンジルアクリレート／ポリスチレンマクロモノマー共重合体、アクリル酸／２−ヒドロキシエチルアクリレート／ベンジルアクリレート／ポリメチルメタクリレートマクロモノマー共重合体、アクリル酸／ベンジルメタクリレート共重合体、アクリル酸／メチルメタクリレート／スチレン共重合体、アクリル酸／ベンジルメタクリレート／スチレン共重合体、アクリル酸／メチルメタクリレート／ポリスチレンマクロモノマー共重合体、アクリル酸／メチルメタクリレート／ポリメチルメタクリレートマクロモノマー共重合体、アクリル酸／ベンジルメタクリレート／ポリスチレンマクロモノマー共重合体、アクリル酸／ベンジルメタクリレート／ポリメチルメタクリレートマクロモノマー共重合体、アクリル酸／２−ヒドロキシエチルメタクリレート／ベンジルメタクリレート／ポリスチレンマクロモノマー共重合体、アクリル酸／２−ヒドロキシエチルメタクリレート／ベンジルメタクリレート／ポリメチルメタクリレートマクロモノマー共重合体等のアクリル酸共重合体類や、メタクリル酸／ベンジルアクリレート共重合体、メタクリル酸／メチルアクリレート／スチレン共重合体、メタクリル酸／ベンジルアクリレート／スチレン共重合体、メタクリル酸／メチルアクリレート／ポリスチレンマクロモノマー共重合体、メタクリル酸／メチルアクリレート／ポリメチルメタクリレートマクロモノマー共重合体、メタクリル酸／ベンジルアクリレート／ポリスチレンマクロモノマー共重合体、メタクリル酸／ベンジルアクリレート／ポリメチルメタクリレートマクロモノマー共重合体、メタクリル酸／２−ヒドロキシエチルアクリレート／ベンジルアクリレート／ポリスチレンマクロモノマー共重合体、メタクリル酸／２−ヒドロキシエチルアクリレート／ベンジルアクリレート／ポリメチルメタクリレートマクロモノマー共重合体、メタクリル酸／ベンジルメタクリレート共重合体、メタクリル酸／メチルメタクリレート／スチレン共重合体、メタクリル酸／ベンジルメタクリレート／スチレン共重合体、メタクリル酸／メチルメタクリレート／ポリスチレンマクロモノマー共重合体、メタクリル酸／メチルメタクリレート／ポリメチルメタクリレートマクロモノマー共重合体、メタクリル酸／ベンジルメタクリレート／ポリスチレンマクロモノマー共重合体、メタクリル酸／ベンジルメタクリレート／ポリメチルメタクリレートマクロモノマー共重合体、メタクリル酸／２−ヒドロキシエチルメタクリレート／ベンジルメタクリレート／ポリスチレンマクロモノマー共重合体、メタクリル酸／２−ヒドロキシエチルメタクリレート／ベンジルメタクリレート／ポリメチルメタクリレートマクロモノマー共重合体等のメタクリル酸共重合体類等を挙げることができる。
【００３３】
さらに、スチレンアクリル樹脂、アクリル樹脂、アクリルウレタン樹脂、アクリルウレタンシリコーン樹脂、アクリルウレタンフッ素樹脂、アクリルフッ素樹脂、アクリルシリコーン樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ウレタン樹脂、ウレア樹脂、ポリエステル樹脂、シリコーン樹脂、エポキシ樹脂、ポリスチレン樹脂、ポリアミド樹脂等が挙げられ、これらの樹脂は、２種以上混合することもできる。
【００３４】
特に、カラーフィルター材が含有するバインダー樹脂（成分）との付着力を制御する観点から、カラーフィルター材に含有させるバインダー樹脂（成分）の一つと同じ樹脂で粒子状顔料をコートすることが好ましい。
【００３５】
本発明のカラーフィルターに含有させるバインダー樹脂について説明する。カラーフィルター材中に含有させるバインダー樹脂には硬化剤を加えたものを用いる。熱硬化型カラーフィルター材が含有するバインダーとしては、公知の樹脂と架橋剤の組み合わせが使用でき、具体的には、メラミン樹脂、水酸基或いはカルボキシル基含有ポリマーとメラミン、水酸基或いはカルボキシル基含有ポリマーと多官能エポキシ化合物、水酸基或いはカルボキシル基含有ポリマーと繊維素反応型化合物、エポキシ樹脂とレゾール型樹脂、エポキシ樹脂とアミン類、エポキシ樹脂とカルボン酸または酸無水物、エポキシ化合物、天然樹脂、あるいはアクリル系樹脂、ポリエステル系樹脂、ポリウレタン系樹脂、ポリビニール系樹脂、アミノ系樹脂、エポキシ系樹脂、ポリエーテル系樹脂等が用いられ、特にアクリル系樹脂が好ましく用いられ、このバインダー樹脂はカラーフィルター材全重量に対して０.１〜２０重量％、好ましくは０.２〜１５重量％の範囲で添加される。
【００３６】
また、光硬化型カラーフィルター材が含有するバインダーとしては紫外線（ＵＶ）硬化型バインダーがあり、プレポリマー、モノマー、光開始剤及び色材を主成分とするものであり、プレポリマー、モノマー等がバインダーとなる。
プレポリマーとしては、ポリエステルアクリレート、ポリウレタンアクリレート、エポキシアクリレート、ポリエーテルアクリレート、オリゴアクリレート、アルキドアクリレート、ポリオールアクリレート、シリコンアクリレート等のプレポリマーのいずれかを特に限定することなく用いることができる。
モノマーとしては、スチレン、酢酸ビニル等のビニルモノマー；ｎ−ヘキシルアクリレート、フェノキシエチルアクリレート等の単官能アクリルモノマー；ジエチレングリコールジアクリレート、１，６−ヘキサンジオールジアクリレート、ヒドロキシピペリン酸エステルネオペンチルグリコールジアクリレート、トリメチロールプロパントリアクリレート、ジペンタエリストールヘキサアクリレート等の多官能アクリルモノマー、アクリル酸、メタクリル酸、メチルアクリレート、メチルメタクリレート、２−ヒドロキシエチルアクリレート、２−ヒドロキシエチルメタクリレート、ベンジルアクリレート、ベンジルメタクリレート、スチレン、ポリスチレンマクロモノマー、及びポリメチルメタクリレートマクロモノマー等を用いることができる。
上記プレポリマー及びモノマーは単独で用いても良いし、２種以上混含しても良い。
【００３７】
光重合開始剤は、イソブチルベンゾインエーテル、イソプロピルベンゾインエーテル、ベンゾインエチルエーテル、ベンゾインメチルエーテル、１−フェニル−ｌ，２−プロパジオン−２−オキシム、２，２−ジメトキシ−２−フェニルアセトフェノン、ベンジル、ヒドロキシシクロヘキシルフェニルケトン、ジエトキシアセトフェノン、２−ヒドロキシ−２−メチル−１−フェニルプロパン−１−オン、ベンゾフェノン、クロロチオキサントン、２−クロロチオキサントン、イソプロピルチオキサントン、２−メチルチオキサントン、塩素置換ベンゾフェノン、ハロゲン置換アルキル−アリルケトン等の中から所望の硬化性が得られるものを選択して用いることができる。
その他必要に応じて脂肪族アミン、芳香族アミン等の光開始助剤；チオキサンソン等の光鋭感剤等を添加しても良い。
【００３８】
カラーフィルター材に含有させるバインダー樹脂（成分）としては、カラーフィルター材に含有させる粒子状顔料のコートに用いる樹脂との関係において、粒子状顔料のコーティング樹脂材平滑面と水との接触角θ１と、バインダー樹脂材平滑面と水との接触角θ２との関係が、｜θ１−θ２｜≦２０度、となるような樹脂を選択する。粒子状顔料のコートに用いた樹脂と同じ樹脂をバインダー樹脂（成分）の一つとしてカラーフィルター材に含有させておくことで、前記接触角の関係が形成されるので好ましい。
【００３９】
本発明のカラーフィルターに含有させる色材について説明する。色材としては顔料を用い、顔料としては、無機顔料、有機顔料であって、特に限られるものではない。
有機顔料としては、例えばアゾレーキ、不溶性アゾ顔料、縮合アゾ顔料、キレートアゾ顔料等のアゾ顔料類、フタロシアニン顔料、ペリレン顔料、ペリノン顔料、アントラキノン顔料、キナクリドン顔料、ジオキサジン顔料、チオインジゴ顔料、イソインドリノン顔料、キノフタロン顔料等の多環式顔料類、染料レーキ等が挙げられる。
無機顔料としては、例えば酸化チタン、ベンガラ、酸化クロム、鉄黒等の酸化物や、カドミウムイエロー、クロムバーミリオン、紺青、群青、黄色酸化鉄等が挙げられる。
【００４０】
これらの中で有機顔料は、発色性が高く、耐熱性も高いので、好ましく用いられる。好ましい有機顔料としては、例えばカラーインデックス（Ｃ．Ｉ．；The Society of Dyers and Colourists 社発行） においてピグメント（Pigment）に分類されている化合物、具体的には、下記のようなカラーインデックス（Ｃ．Ｉ．）番号が付されているものを挙げることができる。
Ｃ．Ｉ．ピグメントイエロー１、Ｃ．Ｉ．ピグメントイエロー３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１６、Ｃ．Ｉ．ピグメントイエロー１７、Ｃ．Ｉ．ピグメントイエロー２０、Ｃ．Ｉ．ピグメントイエロー２４、Ｃ．Ｉ．ピグメントイエロー３１、Ｃ．Ｉ．ピグメントイエロー５５、Ｃ．Ｉ．ピグメントイエロー６０、Ｃ．Ｉ．ピグメントイエロー６１、Ｃ．Ｉ．ピグメントイエロー６５、Ｃ．Ｉ．ピグメントイエロー７１、Ｃ．Ｉ．ピグメントイエロー７３、Ｃ．Ｉ．ピグメントイエロー７４、Ｃ．Ｉ．ピグメントイエロー８１、Ｃ．Ｉ．ピグメントイエロー８３、Ｃ．Ｉ．ピグメントイエロー９３、Ｃ．Ｉ．ピグメントイエロー９５、Ｃ．Ｉ．ピグメントイエロー９７、Ｃ．Ｉ．ピグメントイエロー９８、Ｃ．Ｉ．ピグメントイエロー１００、Ｃ．Ｉ．ピグメントイエロー１０１、Ｃ．Ｉ．ピグメントイエロー１０４、Ｃ．Ｉ．ピグメントイエロー１０６、Ｃ．Ｉ．ピグメントイエロー１０８、Ｃ．Ｉ．ピグメントイエロー１０９、Ｃ．Ｉ．ピグメントイエロー１１０、Ｃ．Ｉ．ピグメントイエロー１１３、Ｃ．Ｉ．ピグメントイエロー１１４、Ｃ．Ｉ．ピグメントイエロー１１６、Ｃ．Ｉ．ピグメントイエロー１１７、Ｃ．Ｉ．ピグメントイエロー１１９、Ｃ．Ｉ．ピグメントイエロー１２０、Ｃ．Ｉ．ピグメントイエロー１２６、Ｃ．Ｉ．ピグメントイエロー１２７、Ｃ．Ｉ．ピグメントイエロー１２８、Ｃ．Ｉ．ピグメントイエロー１２９、Ｃ．Ｉ．ピグメントイエロー１３８、Ｃ．Ｉ．ピグメントイエロー１３９、Ｃ．Ｉ．ピグメントイエロー１５０、Ｃ．Ｉ．ピグメントイエロー１５１、Ｃ．Ｉ．ピグメントイエロー１５２、Ｃ．Ｉ．ピグメントイエロー１５３、Ｃ．Ｉ．ピグメントイエロー１５４、Ｃ．Ｉ．ピグメントイエロー１５５、Ｃ．Ｉ．ピグメントイエロー１５６、Ｃ．Ｉ．ピグメントイエロー１６６、Ｃ．Ｉ．ピグメントイエロー１６８、Ｃ．Ｉ．ピグメントイエロー１７５；  Ｃ．Ｉ．ピグメントオレンジ１、Ｃ．Ｉ．ピグメントオレンジ５、Ｃ．Ｉ．ピグメントオレンジ１３、Ｃ．Ｉ．ピグメントオレンジ１４、Ｃ．Ｉ．ピグメントオレンジ１６、Ｃ．Ｉ．ピグメントオレンジ１７、Ｃ．Ｉ．ピグメントオレンジ２４、Ｃ．Ｉ．ピグメントオレンジ３４、Ｃ．Ｉ．ピグメントオレンジ３６、Ｃ．Ｉ．ピグメントオレンジ３８、Ｃ．Ｉ．ピグメントオレンジ４０、Ｃ．Ｉ．ピグメントオレンジ４３、Ｃ．Ｉ．ピグメントオレンジ４６、Ｃ．Ｉ．ピグメントオレンジ４９、Ｃ．Ｉ．ピグメントオレンジ５１、Ｃ．Ｉ．ピグメントオレンジ６１、Ｃ．Ｉ．ピグメントオレンジ６３、Ｃ．Ｉ．ピグメントオレンジ６４、Ｃ．Ｉ．ピグメントオレンジ７１、Ｃ．Ｉ．ピグメントオレンジ７３；Ｃ．Ｉ．ピグメントバイオレット１、Ｃ．Ｉ．ピグメントバイオレット１９、Ｃ．Ｉ．ピグメントバイオレット２３、Ｃ．Ｉ．ピグメントバイオレット２９、Ｃ．Ｉ．ピグメントバイオレット３２、Ｃ．Ｉ．ピグメントバイオレット３６、Ｃ．Ｉ．ピグメントバイオレット３８；  Ｃ．Ｉ．ピグメントレッド１、Ｃ．Ｉ．ピグメントレッド２、Ｃ．Ｉ．ピグメントレッド３、Ｃ．Ｉ��ピグメントレッド４、Ｃ．Ｉ．ピグメントレッド５、Ｃ．Ｉ．ピグメントレッド６、Ｃ．Ｉ．ピグメントレッド７、Ｃ．Ｉ．ピグメントレッド８、Ｃ．Ｉ．ピグメントレッド９、Ｃ．Ｉ．ピグメントレッド１０、Ｃ．Ｉ．ピグメントレッド１１、Ｃ．Ｉ．ピグメントレッド１２、Ｃ．Ｉ．ピグメントレッド１４、Ｃ．Ｉ．ピグメントレッド１５、Ｃ．Ｉ．ピグメントレッド１６、Ｃ．Ｉ．ピグメントレッド１７、Ｃ．Ｉ．ピグメントレッド１８、Ｃ．Ｉ．ピグメントレッド１９、Ｃ．Ｉ．ピグメントレッド２１、Ｃ．Ｉ．ピグメントレッド２２、Ｃ．Ｉ．ピグメントレッド２３、Ｃ．Ｉ．ピグメントレッド３０、Ｃ．Ｉ．ピグメントレッド３１、Ｃ．Ｉ．ピグメントレッド３２、Ｃ．Ｉ．ピグメントレッド３７、Ｃ．Ｉ．ピグメントレッド３８、Ｃ．Ｉ．ピグメントレッド４０、Ｃ．Ｉ．ピグメントレッド４１、Ｃ．Ｉ．ピグメントレッド４２、Ｃ．Ｉ．ピグメントレッド４８：１、Ｃ．Ｉ．ピグメントレッド４８：２、Ｃ．Ｉ．ピグメントレッド４８：３、Ｃ．Ｉ．ピグメントレッド４８：４、Ｃ．Ｉ．ピグメントレッド４９：１、Ｃ．Ｉ．ピグメントレッド４９：２、Ｃ．Ｉ．ピグメントレッド５０：１、Ｃ．Ｉ．ピグメントレッド５２：１、Ｃ．Ｉ．ピグメントレッド５３：１、Ｃ．Ｉ．ピグメントレッド５７、Ｃ．Ｉ．ピグメントレッド５７：１、Ｃ．Ｉ．ピグメントレッド５７：２、Ｃ．Ｉ．ピグメントレッド５８：２、Ｃ．Ｉ．ピグメントレッド５８：４、Ｃ．Ｉ．ピグメントレッド６０：１、Ｃ．Ｉ．ピグメントレッド６３：１、Ｃ．Ｉ．ピグメントレッド６３：２、Ｃ．Ｉ．ピグメントレッド６４：１、Ｃ．Ｉ．ピグメントレッド８１：１、Ｃ．Ｉ．ピグメントレッド８３、Ｃ．Ｉ．ピグメントレッド８８、Ｃ．Ｉ．ピグメントレッド９０：１、Ｃ．Ｉ．ピグメントレッド９７、Ｃ．Ｉ．ピグメントレッド１０１、Ｃ．Ｉ．ピグメントレッド１０２、Ｃ．Ｉ．ピグメントレッド１０４、Ｃ．Ｉ．ピグメントレッド１０５、Ｃ．Ｉ．ピグメントレッド１０６、Ｃ．Ｉ．ピグメントレッド１０８、Ｃ．Ｉ．ピグメントレッド１１２、Ｃ．Ｉ．ピグメントレッド１１３、Ｃ．Ｉ．ピグメントレッド１１４、Ｃ．Ｉ．ピグメントレッド１２２、Ｃ．Ｉ．ピグメントレッド１２３、Ｃ．Ｉ．ピグメントレッド１４４、Ｃ．Ｉ．ピグメントレッド１４６、Ｃ．Ｉ．ピグメントレッド１４９、Ｃ．Ｉ．ピグメントレッド１５０、Ｃ．Ｉ．ピグメントレッド１５１、Ｃ．Ｉ．ピグメントレッド１６６、Ｃ．Ｉ．ピグメントレッド１６８、Ｃ．Ｉ．ピグメントレッド１７０、Ｃ．Ｉ．ピグメントレッド１７１、Ｃ．Ｉ．ピグメントレッド１７２、Ｃ．Ｉ．ピグメントレッド１７４、Ｃ．Ｉ．ピグメントレッド１７５、Ｃ．Ｉ．ピグメントレッド１７６、Ｃ．Ｉ．ピグメントレッド１７７、Ｃ．Ｉ．ピグメントレッド１７８、Ｃ．Ｉ．ピグメントレッド１７９、Ｃ．Ｉ．ピグメントレッド１８０、Ｃ．Ｉ．ピグメントレッド１８５、Ｃ．Ｉ．ピグメントレッド１８７、Ｃ．Ｉ．ピグメントレッド１８８、Ｃ．Ｉ．ピグメントレッド１９０、Ｃ．Ｉ．ピグメントレッド１９３、Ｃ．Ｉ．ピグメントレッド１９４、Ｃ．Ｉ．ピグメントレッド２０２、Ｃ．Ｉ．ピグメントレッド２０６、Ｃ．Ｉ．ピグメントレッド２０７、Ｃ．Ｉ．ピグメント��ッド２０８、Ｃ．Ｉ．ピグメントレッド２０９、Ｃ．Ｉ．ピグメントレッド２１５、Ｃ．Ｉ．ピグメントレッド２１６、Ｃ．Ｉ．ピグメントレッド２２０、Ｃ．Ｉ．ピグメントレッド２２４、Ｃ．Ｉ．ピグメントレッド２２６、Ｃ．Ｉ．ピグメントレッド２４２、Ｃ．Ｉ．ピグメントレッド２４３、Ｃ．Ｉ．ピグメントレッド２４５、Ｃ．Ｉ．ピグメントレッド２５４、Ｃ．Ｉ．ピグメントレッド２５５、Ｃ．Ｉ．ピグメントレッド２６４、Ｃ．Ｉ．ピグメントレッド２６５；  Ｃ．Ｉ．ピグメントブルー１５、Ｃ．Ｉ．ピグメントブルー１５：３、Ｃ．Ｉ．ピグメントブルー１５：４、Ｃ．Ｉ．ピグメントブルー１５：６、Ｃ．Ｉ．ピグメントブルー６０；Ｃ．Ｉ．ピグメントグリーン７、Ｃ．Ｉ．ピグメントグリーン３６；Ｃ．Ｉ．ピグメントブラウン２３、Ｃ．Ｉ．ピグメントブラウン２５；Ｃ．Ｉ．ピグメントブラック１、ピグメントブラック７。
色調の点から、特に、Ｃ．Ｉ．ピグメントレッド１７７、２５４、Ｃ．Ｉ．ピグメントレッド５、Ｃ．Ｉ．ピグメントレッド１２、Ｃ．Ｉ．ピグメントグリーン３６、７、Ｃ．Ｉ．ピグメントブルー２０９、１５：６、Ｃ．Ｉ．ピグメントブルー１６、Ｃ．Ｉ．ピグメントイエロー１３８、１５０等が好ましく用いられる。
【００４１】
さらに、顔料の分類別に以下記載のものが挙げられる。
黒色顔料としては、カーボンブラック、酸化銅、二酸化マンガン、アニリンブラック、活性炭などがある。黄色顔料としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキなどがある。
橙色顔料としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫなどがある。
赤色顔料としては、ベンガラ、カドミウムレッド、鉛丹、硫化水銀、カドミウム、パーマネントレッド４Ｒ、リソールレッド、ピラゾロンレッド、ウォッチングレツド、カルシウム塩、レーキレッドＤ、ブリリアントカーミン６Ｂ、エオシンレーキ、ローダミンレーキＢ、アリザリンレーキ、ブリリアントカーミン３Ｂなどがある。
紫色顔料としては、マンガン紫、ファーストバイオレットＢ、メチルバイオレットレーキなどがある。青色顔料としては、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣなどがある。
緑色顔料としては、クロムグリーン、酸化クロム、ピグメントグリーンＢ、マラカイトグリーンレーキ、ファイナルイエローグリーンＧなどがある。
体質顔料としては、バライト粉、炭酸バリウム、クレー、シリカ、ホワイトカーボン、タルク、アルミナホワイトなどがある。これらの色材は、単独で或いは複数組合せて用いることができる。
【００４２】
カラーフィルター材をインクジェット法に適用するインクとし、インクを水性インクとする場合には、インク中の水性媒体は水及び水溶性有機溶媒との混合溶媒とし、水溶性有機溶媒としては、インクの乾燥防止効果を有するものを用い、また、水は種々のイオンを含有する一般の水ではなく、脱イオン水を用いることが望ましい。
水溶性有機溶剤としては、具体的に例えば、メタノール、エタノール、n―プロパノール、イソプロパノール、n―ブタノール、sec―ブタノール、tert―ブタノール、イソブタノール、n―ペンタノール等の炭素数１〜５のアルキルアルコール類；ジメチルホルムアミド、ジメチルアセトアミド等のアミド類；アセトン、ジアセトンアルコール等のケトンまたはケトアルコール類；テトラヒドロフラン、ジオキサン等のエーテル類；ジエチレングリコール、トリエチレングリコール、テトラエチレングリコール、ジプロピレングリコール、トリプロピレングリコール、ポリエチレングリコール、ポリプロピレングリコール等のオキシエチレンまたはオキシプロピレン共重合体；エチレングリコール、プロピレングリコール、トリメチレングリコール、トリエチレングリコール、１,２,６―ヘキサントリオール等のアルキレン基が２〜６個の炭素原子を含むアルキレングリコール類；グリセリン；エチレングリコールモノメチル（またはエチル）エーテル、ジエチレングリコールモノメチル（またはエチル）エーテル、トリエチレングリコールモノメチル（またはエチル）エーテル等の低級アルキルエーテル類；トリエチレングリコールジメチル（またはエチル）エーテル、テトラエチレングリコールジメチル（またはエチル）エーテル等の多価アルコールの低級ジアルキルエーテル類；モノエタノールアミン、ジエタノールアミン、トリエタノールアミン等のアルカノールアミン類；スルホラン、N―メチル―２―ピロリドン、２―ピロリドン、１,３―ジメチル―２―イミダゾリジノン等が挙げられる。これらの水溶性有機溶剤は、単独でもあるいは混合物としても使用することができる。
【００４３】
また、上記した成分の他に必要に応じて、界面活性剤、消泡剤、防腐剤、防カビ剤等を添加することができ、さらに、市販の水溶性染料等を添加することもできる。具体的には、脂肪酸塩類、高級アルコール硫酸エステル塩類、液体脂肪油硫酸エステル塩類、アルキルアリルスルホン酸塩類等の陰イオン界面活性剤、ポリオキシエチレンアルキルエーテル類、ポリオキシエチレンアルキルエステル類、ポリオキシエチレンソルビタンアルキルエステル類、アセチレンアルコール、アセチレングリコール等の非イオン性界面活性剤等が挙げられ、これらを１種或いは２種以上混合して用いることができる。
モノマーを主成分として構成するカラーフィルター材（インク）では、溶媒は用いないでも、インクジェットで吐出できる粘度を有するものを選択して用いる。
【００４４】
本発明のカラーフィルターを用いる情報表示用パネルの製造方法の一例を説明する。まず、表示側の透明な基板の一方の面にライン状の透明なＩＴＯ電極を設ける。このとき、透明なＩＴＯ電極の形成と同時に、基板の四隅にアライメントマークを設けることが好ましい。次に、各々のＩＴＯ電極に対応して、基板のＩＴＯ電極およびアライメントマークを設けた側の面と反対側の面に、赤色フィルター（Ｒ）、緑色フィルター（Ｇ）、青色フィルター（Ｂ）の繰り返しから構成されるカラーフィルターをインクジェット法で形成する。
なお、上述した例では、カラーフィルターの例として、赤色フィルター（Ｒ）、緑色フィルター（Ｇ）、青色フィルター（Ｂ）からなるカラーフィルターを利用したが、これに限定されるものではなく、その他のカラー例えばシアン、マゼンタ、イエローの組から構成されるカラーフィルターを用いることもできる。また、電極としてＩＴＯ電極を設けたが、透明で導電性を有していれば他の材料を使用することができる。
【００４５】
以下、本発明の対象となる情報表示用パネルを構成する各部材について説明する。
【００４６】
基板については、少なくとも一方の基板はパネル外側から表示媒体の色が確認できる透明な基板であり、本発明のカラーフィルター材はこの透明基板に配置する。この透明基板としては、可視光の透過率が高くかつ耐熱性の良い材料が好適である。カラーフィルター材を配置しない側の基板は透明でも不透明でもかまわない。
基板材料を例示すると、ポリエチレンテレフタレート（ＰＥＴ）、ポリエチレンナフタレート（ＰＥＮ）、ポリエーテルサルフォン（ＰＥＳ）、ポリエチレン（ＰＥ）、ポリカーボネート（ＰＣ）、ポリイミド（ＰＩ）、アクリル樹脂などのポリマーシートや、金属シートのように可とう性のあるもの、および、ガラス、石英などの可とう性のない無機シートが挙げられる。基板の厚みは、２〜５０００μｍが好ましく、さらに５〜２０００μｍが好適であり、薄すぎると、強度、基板間の間隔均一性を保ちにくくなり、５０００μｍより厚いと、薄型情報表示用パネルとする場合に不都合がある。
【００４７】
電極形成材料としては、アルミニウム、銀、ニッケル、銅、金等の金属類や酸化インジウム錫（ＩＴＯ）、酸化インジウム、アンチモン錫酸化物（ＡＴＯ）、導電性酸化錫、導電性酸化亜鉛等の導電金属酸化物類、ポリアニリン、ポリピロール、ポリチオフェンなどの導電性高分子類が例示され、適宜選択して用いられる。電極の形成方法としては、上記例示の材料をスパッタリング法、真空蒸着法、ＣＶＤ（化学蒸着）法、塗布法等で薄膜状にパターニング形成する方法や、導電剤を溶媒や合成樹脂バインダーに混合して塗布してパターニング形成する方法が用いられる。視認側（表示面側）基板に設ける電極は透明である必要があるが、背面側基板に設ける電極は透明である必要がない。いずれの場合もパターン形成可能である導電性である上記材料を好適に用いることができる。なお、電極厚みは、導電性が確保でき光透過性に支障がなければ良く、３〜１０００ｎｍ、好ましくは５〜４００ｎｍが好適である。背面側基板に設ける電極の材質や厚みなどは上述した表示面側基板に設ける電極と同様であるが、透明である必要はない。なお、この場合の外部電圧入力は、直流あるいは交流を重畳しても良い。
【００４８】
開口部の平面形状は、円形、楕円、四角、ストライプいずれの形状でも構わないが、カラーフィルター材をインクジェット法で用いるインクとして用いる場合には、インクが持つ表面張力を考慮して、四角形等の場合には、角部に丸みを持たせる方が好ましい。
【実施例】
【００４９】
所定のＩＴＯ電極が形成された透明ガラス基板の、ＩＴＯ電極が形成された面とは反対側の基板面に、感光性樹脂遮光層を設け、この感光性樹脂遮光層を、マトリックス状開口部を有するバンク（ブラックマトリックス）に、周知のリソグラフィーによってパターニング形成した。
次に、ブラックマトリックスによって区切られたマトリックス状開口部に、隣り合う三つの開口部に赤色カラーフィルター材（Ｒ）、緑色カラーフィルター材（Ｇ）、青色カラーフィルター材（Ｂ）を一組となるように、各カラーフィルター材をインクジェット方式で配置する。
三色のカラーフィルター材を構成する粒子状顔料には、それぞれ、Ｃ．Ｉ．ピグメントレッド１７７ （Ｒ：赤色）、Ｃ．Ｉ．ピグメントグリーン３６（Ｇ：緑色）、Ｃ．Ｉ．ピグメントブルー１５：６（Ｂ：青色）を準備し、それぞれの色の粒子状顔料に、スパイラ・フロー装置（フロイント（株）製）を用いてスチレン−アクリル樹脂をコートしたものを色材として用いて、以下構成のカラーフィルター材（インク）を調整して各カラーフィルター材をインクジェット方式で配置した。
インクジェット法においては、インク滴のサイズをターゲットであるカラーフィルター層形成領域のサイズに合わせて制御することが好ましいので、本発明の実施例では、５０μｍ□のマトリックス状開口部に対して、６〜３０ピコリットルに制御したインク滴とすることでカラーフィルター材を配置し、カラーフィルターを形成した。
【００５０】
＜実験例1＞
実験例1は、水系熱硬化型インクの色材として樹脂コート顔料を用いた例である。表1に示すインク構成割合でバインダーのスチレン−アクリル系樹脂に樹脂コートした粒子状顔料を添加した。
【００５１】
【表１】
2007322602.tif 000003
【００５２】
上記配合インクを、表２に示すように粒子状顔料をコートした樹脂の材料を換えて、インクジェット法にて基板に配置後、熱硬化処理を行って、カラーフィルターを作製した。
【００５３】
【表２】
2007322602.tif 000004
【００５４】
作製したカラーフィルターを光学顕微鏡により観察したところ、実施例１、２においては、全面にわたって色むらはなく、色材の分散状態としては良好であることが分かった。
粒子状顔料を樹脂コートせずにそのまま用いた比較例２およびコート樹脂と水との接触角とバインダー樹脂と水との接触角の差が、２０度を超えている比較例１においては、色むらが見られ、色材の分散状態としては不良であることが分かった。
【００５５】
＜実験例２＞
実験例２は、光硬化型インクの色材として樹脂コート顔料を用いた例である。表３に示すインク構成割合でバインダーのアクリル系モノマーに樹脂コートした粒子状顔料を添加した。
【００５６】
【表３】
2007322602.tif 000005
【００５７】
上記配合インクを、表４に示すように粒子状顔料をコートした樹脂の材料を換えて、インクジェット法にて基板に配置後、紫外線（ＵＶ）硬化処理を行って、カラーフィルターを作製した。
【００５８】
【表４】
2007322602.tif 000006
【００５９】
作製したカラーフィルターを光学顕微鏡により観察したところ、実施例３、４においては、全面にわたって色むらはなく、色材の分散状態としては良好であることが分かった。
粒子状顔料を樹脂コートせずにそのまま用いた比較例４およびコート樹脂と水との接触角とバインダー樹脂と水との接触角の差が、２０度を超えている比較例３においては、色むらが見られ、色材の分散状態としては不良であることが分かった。
【００６０】
以上により、粒子状顔料を樹脂コートし、コート樹脂と水との接触角とバインダー樹脂と水との接触角の差が、２０度以下である場合に、カラーフィルターは前面に渡って色むらはなく、色材の分散状態としては良好であることが分かった。
【産業上の利用可能性】
【００６１】
本発明に係る情報表示用パネルは、ノートパソコン、電子手帳、ＰＤＡ（Personal Digital Assistants）と呼ばれる携帯型情報機器、携帯電話、ハンディーターミナル等のモバイル機器の表示部、電子ブック、電子新聞等の電子ペーパー、看板、ポスター、黒板（ホワイトボード）等の掲示板、電子卓上計算機、家電製品、自動車用品等の表示部、ポイントカード、ＩＣカード等のカード表示部、電子広告、情報ボード、電子ＰＯＰ（Point Of presence、Point Of Purchase advertising）、電子値札、電子棚札、電子楽譜、ＲＦ−ＩＤ機器の表示部のほか、ＰＯＳ端末、カーナビゲーション装置、時計など様々な電子機器の表示部に好適に用いられる。
【００６２】
なお、本発明に係る情報表示用パネルの駆動方式については、パネル自体にスイッチング素子を用いない単純マトリックス駆動型表示用パネルやスタティック駆動型表示用パネル、また、薄膜トランジスタ（ＴＦＴ）で代表される三端子スイッチング素子あるいは薄膜ダイオード（ＴＦＤ）で代表される二端子スイッチング素子を用いたアクティブマトリックス駆動型表示用パネルなど、種々のタイプの情報表示用パネルを用いることができる。
【図面の簡単な説明】
【００６３】
【図１】（ａ）、（ｂ）はそれぞれ本発明の対象になる情報表示用パネルの一例を示す図である。
【図２】（ａ）、（ｂ）はそれぞれ本発明の対象になる情報表示用パネルの他の例を示す図である。
【図３】（ａ）、（ｂ）はそれぞれ本発明の対象になる情報表示用パネルのさらに他の例を示す図である。
【図４】カラーフィルター材に分散させる樹脂コートされた顔料微粒子の断面図である。
【図５】樹脂コートされた顔料微粒子を分散させたカラーフィルターである。
【図６】スパイラル気流を用いて顔料微粒子を樹脂コーティングする装置を示す。
【図７】本発明のカラーフィルター材を透明基板に配置した構成図であり、（a）は断面図、（ｂ）は上平面図を示す。
【図８】本発明のカラーフィルターを用いた情報表示用パネルの第１実施形態を示す。
【図９】本発明のカラーフィルターを用いた情報表示用パネルの第２実施形態を示す。
【図１０】本発明のカラーフィルターを用いた情報表示用パネルの第３実施形態を示す。
【図１１】本発明のカラーフィルターを用いた情報表示用パネルの第４実施形態を示す。
【図１２】本発明のカラーフィルターを用いた情報表示用パネルの第５実施形態を示す。
【図１３】本発明のカラーフィルターを用いた情報表示用パネルの第６実施形態を示す。
【図１４】本発明のカラーフィルターを用いた情報表示用パネルの第５実施形態を示す。
【図１５】本発明のカラーフィルターを用いた情報表示用パネルの第６実施形態を示す。
【符号の説明】
【００６４】
１、２          基板
３              表示媒体
３Ｗ            白色表示媒体
３Ｗａ          表示用白色粒子
３Ｂ            黒色表示媒体
３Ｂａ          表示用黒色粒子
４              隔壁
５、６          電極
５Ｌ            ライン電極
５Ｔ、６Ｔ      透明電極
６ＴＬ          透明ライン電極
１１            カラーフィルター
１１Ｒ          赤色カラーフィルター
１１Ｇ          緑色カラーフィルター
１１Ｂ          青色カラーフィルター
１３            表示用有色粒子
１４            バンク（ブラックマトリックス）
１５            保護層
２０            絶縁性液体
２１Ｗ          白色板
２１Ｂ          黒色板
２２            樹脂コート
２３            顔料微粒子
２３Ｐ          樹脂コートされた顔料微粒子
２４            バインダー
３０            マイクロカプセル
３１            樹脂溶液層
３２            搬送配管
３３            樹脂溶液噴霧ノズル
３４            ローター
【図１】
2007322602.tif 000007
【図２】
2007322602.tif 000008
【図３】
2007322602.tif 000009
【図４】
2007322602.tif 000010
【図５】
2007322602.tif 000011
【図６】
2007322602.tif 000012
【図７】
2007322602.tif 000013
【図８】
2007322602.tif 000014
【図９】
2007322602.tif 000015
【図１０】
2007322602.tif 000016
【図１１】
2007322602.tif 000017
【図１２】
2007322602.tif 000018
【図１３】
2007322602.tif 000019
【図１４】
2007322602.tif 000020
【図１５】
2007322602.tif 000021